(57)【要約】 【課題】偽造が極めて困難であり、仮に偽造できたとしてもコストが掛り過ぎて実質的に海賊版の偽造を防止すること。【解決手段】ディスク製造時に生じる層間相対角度などのディスク毎に異なるバラツキ情報を実測し、この実測値をディスク型記録媒体に記録しておく。再生時は再生ディスクの前記バラツキ情報を実測し、この実測値と前記記録してあるバラツキ情報が一致しない場合はこの再生ディスク型記録媒体を偽造品と判定してディスクの再生を停止する。海賊版ディスクを製造するにはコピー元のディスクと同一のバラツキ情報を持つようにしなければならず、これが困難で製造不能になるか、可能であっても高度な設備が必要で商業的な採算が合わなくなり、実質的に偽造をできなくする。【選択図】図１
2005209308.tif 000002
【特許請求の範囲】
【請求項１】
情報を記録するディスク型記録媒体の真贋を検出する偽造ディスク検出方法であって、
前記情報を記録したディスク型記録媒体を製造する際に生じるディスク毎に異なるバラツキ情報を実測するステップと、
前記実測したバラツキ情報を被実測ディスク型記録媒体に記録するステップと、
前記ディスク型記録媒体を再生する際に生じるディスク型記録媒体毎に異なるバラツキ情報を実測するステップと、
前記ディスク型記録媒体を再生する際に当該ディスク型記録媒体に記録してあるバラツキ情報を取得するステップと、
前記再生時に実測したバラツキ情報と前記取得したバラツキ情報を照合して再生ディスク型記録媒体が正当品であるか偽造品であるかを判定するステップと、
を具備することを特徴とする偽造ディスク検出方法。
【請求項２】
前記再生ディスク型記録媒体が偽造品であると判定された場合は、これを報知すると共に、当該ディスク型記録媒体の再生を中止するステップを具備することを特徴とする請求項１記載の偽造ディスク検出方法。
【請求項３】
前記バラツキ情報は、ディスク型記録媒体とこのディスク型記録媒体に貼り付けられるラベル印刷との角度、ディスク型記録媒体が複数層構造であった場合の層間相対角度、層間距離、層間相対ジッタ、層間相対偏心のいずれかひとつ或いは２つ以上を組み合わせたものであることを特徴とする請求項１記載の偽造ディスク検出方法。
【請求項４】
偽造防止策を施したディスク型記録媒体を製造するディスク製造装置であって、
前記ディスク型記録媒体を製造する際に生じるディスク毎に異なるバラツキ情報を実測する実測手段と、
前記実測したバラツキ情報を被実測ディスク型記録媒体に記録する記録手段と、
を具備することを特徴とするディスク製造装置。
【請求項５】
前記ディスク型記録媒体は２層構造である場合、前記バラツキ情報は層間相対角度であり、前記実測手段は、前記ディスク型記録媒体の各層の特定位置とディスクの回転中心とにより形成される中心角を、前記ディスク型記録媒体を回転させるスピンドルモータの回転周波数信号より測定し、この中心角を前記層間相対角とすることを特徴とする請求項４記載のディスク製造装置。
【請求項６】
前記ディスク型記録媒体は２層構造である場合、前記バラツキ情報は層間相対角度であり、前記実測手段は、前記ディスク型記録媒体を一定速度で回転させた場合に各層の特定点を読み出す時間差を測定し、この時間差と前記ディスク型記録媒体の回転周期より前記層間相対角度を求めることを特徴とする請求項４記載のディスク製造装置。
【請求項７】
前記記録手段は、前記バラツキ情報を電子透かし技術或いはフィジカルウォーターマーク技術により前記ディスク型記録媒体に記録することを特徴とする請求項４記載のディスク製造装置。
【請求項８】
前記記録手段は、前記バラツキ情報を暗号化することを特徴とする請求項７記載のディスク製造装置。
【請求項９】
ディスク型記録媒体を再生する際にディスク型記録媒体の真贋を判定する機能を有するディスク再生装置であって、
再生ディスク型記録媒体のバラツキ情報を実測する実測手段と、
前記ディスク型記録媒体を再生する際に当該ディスク型記録媒体に記録してあるバラツキ情報を取得するバラツキ情報取得手段と、
前記実測したバラツキ情報と前記再生したバラツキ情報を照合して前記ディスク型記録媒体が正当品であるか偽造品であるかを判定する照合手段と、
を具備することを特徴とするディスク再生装置。
【請求項１０】
前記ディスク型記録媒体は２層構造である場合、前記バラツキ情報は層間相対角度であり、前記実測手段は、前記ディスク型記録媒体の各層の特定位置とディスクの回転中心とにより形成される中心角を、前記ディスク型記録媒体を回転させるスピンドルモータの回転周波数信号より測定し、この中心角を前記層間相対角度とすることを特徴とする請求項９記載のディスク再生装置。
【請求項１１】
前記ディスク型記録媒体は２層構造である場合、前記バラツキ情報は層間相対角度であり、前記実測手段は、前記ディスク型記録媒体を一定速度で回転させた場合に各層の特定点を読み出す時間差を測定し、この時間差と前記ディスク型記録媒体の回転周期より前記層間相対角度を求めることを特徴とする請求項９記載のディスク再生装置。
【請求項１２】
前記再生ディスク型記録媒体が偽造品であると判定された場合は、これを報知すると共に、当該ディスク型記録媒体の再生を中止する制御手段を具備することを特徴とする請求項９記載のディスク再生装置。
【発明の詳細な説明】
【技術分野】
【０００１】
本発明は、違法に製造されたディスク型記録媒体（単にディスクと称することもある）を検出する偽造ディスク検出方法に係り、特に偽造を防止することができるディスク型記録媒体を製造するディスク製造装置及び偽造されたディスク型記録媒体を検出することができるディスク再生装置に関する。
【背景技術】
【０００２】
近年、静止画、動画、音楽などのコンテンツを記録したＣＤやＤＶＤ等が広く普及するに伴い、それを違法に複製（海賊版）して販売する行為が行われるようになり、著作権を侵害したり、或いはディスク製造・販売業者へ損害を与えるなど社会的にも問題になっている。
【０００３】
そこで海賊版ディスクによる被害を防止する様々な工夫がなされている。例えば、公開鍵を通常のピットでディスクの記録エリアに書き込むと共に、レーザ光を利用して秘密鍵をバーコードで同ディスクに書き込んでおき、公開鍵暗号方式で署名を確認する方法をとることよって海賊版ディスクを容易に製造できないようにしている（例えば特許文献１参照）。
【０００４】
また、レーザ光の照射でディスクのピット形状に変化を与えて情報を書き込むフィジカルウォーターマークといわれる手法を用いて海賊版ディスクを検出する方法がある。この手法では、通常のピットからの読み出しに影響を与えないようにしつつピット形状を変化させて情報を書き込むため簡単には書き込めないし、読み出しも容易ではない。それ故、通常の読み出しでは情報が取り出せないので複製時には伝わらない。従って、フィジカルウォーターマークが正常に取り出せないディスクを海賊版と見做すことができ、容易に海賊版ディスクを製造できないようにしている。
【特許文献１】特開平１０−２６９５７７号  （第３−１２頁、第１図、１５図）
【発明の開示】
【発明が解決しようとする課題】
【０００５】
しかしながら、上記した従来の公開鍵暗号方式で署名を確認することによる海賊版の検出方法では、レーザ光を利用してバーコード書き込みしたマーキングは光学的に読取可能であり、読み取ったマークを市販の機器を利用してディスクに書き込むこともできるため、海賊版ディスクを偽造することが可能である。
【０００６】
また、フィジカルウォーターマークと言われる手法を用いて海賊版ディスクの検出を行う方法では、情報の書き込み及び読み出しが容易でないため、海賊版ディスクを製造することはかなり困難であるが、書き込む情報は確定されたものであるため、海賊版製造側の技術の向上によりそのうち海賊版ディスクを製造されてしまう恐れがある。
【０００７】
本発明は前記事情に鑑み案出されたものであって、本発明の目的は、偽造が極めて困難であり、仮に偽造できたとしてもコストが掛り過ぎて海賊版の偽造を実質的に防止することができる偽造ディスク検出方法、ディスク製造装置及びディスク再生装置を提供することにある。
【課題を解決するための手段】
【０００８】
本発明は上記目的を達成するため、情報を記録するディスク型記録媒体の真贋を検出する偽造ディスク検出方法であって、前記情報を記録したディスク型記録媒体を製造する際に生じるディスク毎に異なるバラツキ情報を実測するステップと、前記実測したバラツキ情報を被実測ディスク型記録媒体に記録するステップと、前記ディスク型記録媒体を再生する際に生じるディスク型記録媒体毎に異なるバラツキ情報を実測するステップと、前記ディスク型記録媒体を再生する際に当該ディスク型記録媒体に記録してあるバラツキ情報を取得するステップと、前記再生時に実測したバラツキ情報と前記取得したバラツキ情報を照合して再生ディスク型記録媒体が正当品であるか偽造品であるかを判定するステップとを具備することを特徴とする。
【０００９】
また、本発明は、偽造防止策を施したディスク型記録媒体を製造するディスク製造装置であって、前記ディスク型記録媒体を製造する際に生じるディスク毎に異なるバラツキ情報を実測する実測手段と、前記実測したバラツキ情報を被実測ディスク型記録媒体に記録する記録手段とを具備することを特徴とする。
【００１０】
また、本発明は、ディスク型記録媒体を再生する際にディスク型記録媒体の真贋を判定する機能を有するディスク再生装置であって、再生ディスク型記録媒体のバラツキ情報を実測する実測手段と、前記ディスク型記録媒体を再生する際に当該ディスク型記録媒体に記録してあるバラツキ情報を取得するバラツキ情報取得手段と、前記実測したバラツキ情報と前記再生したバラツキ情報を照合して前記ディスク型記録媒体が正当品であるか偽造品であるかを判定する照合手段とを具備することを特徴とする。
【００１１】
このように本発明では、ディスク製造時に生じる層間相対角度などのディスク型記録媒体毎に異なるバラツキ情報を実測し、この実測値をディスク型記録媒体に記録しておき、再生時は再生ディスク型記録媒体の前記バラツキ情報を実測し、この実測値と前記記録してあるバラツキ情報が一致しない場合はこの再生ディスク型記録媒体を偽造品即ち、海賊版であると判定して、再生不可とすることによって、海賊版のディスク型記録媒体を製造するにはコピー元のディスク型記録媒体と同一のバラツキ情報を持つようにしなければならないようにしてある。しかし、このバラツキ情報を現在の技術では意図的なコントロールが不能の情報、例えば上記した層間相対角度などにしておけば、元のディスク型記録媒体と同一のバラツキ情報を持つ海賊版のディスク型記録媒体を製造することを不可能とすることができる。また、仮に、偽造者側の技術の向上により元のディスク型記録媒体と同一のバラツキ情報を持つ海賊版のディスク型記録媒体を製造することが可能になっても、それを実施する設備は高度で且つ工場並みの規模になるため、製造コストが著しく高くなり、商業的に採算が合わなくなって実質的に海賊版ディスクの製造を行えないようにすることができる。
【発明の効果】
【００１２】
本発明によれば、ディスク製造時に生じるディスク毎に異なるバラツキ情報をディスクの固有情報として用いることにより、ディスクを偽造するにはバラツキ情報をコントロールしなければならないため偽造が困難であり、仮に偽造できたとしても設備が高度で大掛かりとなるため、コストが掛り過ぎて実質的に海賊版の偽造を防止することができる。
【発明を実施するための最良の形態】
【００１３】
偽造が極めて困難であり、仮に偽造できたとしてもコストが掛り過ぎて実質的に海賊版の偽造を防止する目的を、ディスク製造時に生じる層間相対角度などのディスク型記録媒体毎に異なるバラツキ情報を実測し、この実測値をディスク型記録媒体に記録しておき、再生時は再生ディスク型記録媒体の前記バラツキ情報を実測し、この実測値と前記記録してあるバラツキ情報が一致しない場合はこの再生ディスク型記録媒体を偽造品であると判定することによって実現した。
【実施例１】
【００１４】
図１は、本発明の第１の実施の形態に係る偽造ディスク検出方法を実現するディスク製造時の情報記録手順を示したフローチャートである。ＣＤやＤＶＤなどのディスクを製造する際に、意図的にコントロールしないか、コントロールすることが不可能なランダムにばらつく情報がある。例えば、ディスクとラベル印刷との角度がある。また、２層構造のディスクであれば、２層間の相対角度、２層間の距離（層厚）、層間相対ジッタ、層間相対偏芯などがある。
【００１５】
ここで、ディスクとラベル印刷との角度とは、ディスクの記録面とは反対側の面に貼り付けるラベルで、このラベルの特定の位置とディスクの特定の位置（曲の始めの位置など）に着目すると、これら位置とディスク中心を結んだ時に形成される中心角は製造時にコントロールされていないため、ランダムにばらついた情報になる。
【００１６】
２層間の相対角度とは、ディスク製造時に２層を貼り合わせる時に、各層の特定の位置に着目すると、これら特定の位置とディスクの中心とにより形成される中心角は製造時にコントロールされていないため、ランダムにばらついた情報になる。
【００１７】
２層間の距離とは、ディスクを構成する２層の厚みが製造時にコントロールされていないため、各層の特定の位置に着目すると、その部分の厚みは２層ともランダムにばらついた情報になる。この場合、１層のディスクであっても、特定の位置の厚みはランダムにばらついた情報になる。光ピックアップのフォーカスエラーを読み取ることで厚みと比例した情報を取得できる。
【００１８】
層間相対ジッタとは、ジッタの出方が２層間で異なり、これらジッタの出方の違いも製造時にコントロールされていないため、ランダムにばらついた情報になる。
【００１９】
層間相対偏芯とは、ディスクの中心からの偏心の仕方が２層間で異なり、この偏心の仕方も製造時にコントロールされていないため、ランダムにばらついた情報になる。
【００２０】
図１のフローチャートにおいて、まず、上記したディスク製造時に発生するディスク毎にばらついた情報を取得する。このバラツキ情報はディスク製造時にコントロール不可能なもので、将来に亙ってコントロールできないか、仮にコントロールした場合ディスク製造コストが増大するものが良い。ここでは、例えば層間相対ジッタを用いるものとする。製造したディスクの各層に記録されたデータを再生してジッタメータ（市販されている）で各層のジッタを計測し（ステップＳ１）、例えば１層目が１５ｎ秒で、２層目が２０ｎ秒であれば、（１５，２０）というように数値化する（ステップＳ２）。この数値化したバラツキ情報を暗号化して（ステップＳ３）、当該ディスクの記録トラックに記録する（ステップＳ４）。この場合、バラツキ情報を書き込み難く且つ読み出しに難くするために電子透かし技術やフィジカルウォーターマーク技術などで記録することが望ましい。
【００２１】
図２は上記のようなディスク製造時に発生するバラツキ情報が記録されたディスクを再生して、このディスクが正当品であるのか、偽造品であるのかを判定する方法を示したフローチャートである。
【００２２】
まず、再生装置でディスクを再生し（ステップＳ１１）、その際、このディスクに記録されている暗号化されたバラツキ情報を得て復号化する（ステップＳ１２）。一方、前記ディスクの各層からの再生データのジッタを、搭載されているジッタメータで計測すると共に（ステップＳ１３）、数値化して（ステップＳ１４）再生ディスクのバラツキ情報を実測する。次に、実測したバラツキ情報とディスクから読み出したバラツキ情報（ディスク製造時に実測したバラツキ情報）を照合し（ステップＳ１５）、一致した場合は、このディスクを正当品であると判定してディスク再生を通常再生モードに移行してコンテンツの再生を行い、不一致の場合は偽造品であると判定して、ディスク再生を中止する。その
場合、ディスクが偽造品である旨の表示などを行って、ユーザに知らせても良い。
【００２３】
ここで、ディスク製造時に取得したバラツキ情報を数値化したデータをＶｍとし、再生装置で実測したバラツキ情報を数値化したデータをＶｐとすると、上記のステップＳ１５の照合では、Ｅ＝｜Ｖｐ−Ｖｍ｜の演算を行い、このＥが規定条件内かどうかを判定し、規定条件内であれば再生ディスクを正当品とし、規定条件外であれば偽造品と見做す判定を行う。
【００２４】
本実施の形態によれば、個々のディスク製造時に生じる避けがたいバラツキ情報をディスクの固有値として数値化して各ディスクに記録し、この記録したバラツキ情報と当該ディスクを再生する時に実測したバラツキ情報を照合して、当該ディスクの真贋を検出するようにしているため、ディスクを偽造する際には上記したバラツキ情報をコントロールして、コピー元のディスクと同一のバラツキ情報を持つようにディスクを製造しなければならないが、これにはバラツキ情報をコントロールしてディスクを製造する高度の製造技術が必要で、仮にこのような高度技術が偽造者側にあっても高度で大規模な設備が必要になるため、偽造コストが極めて高くなり、商業的な採算が合わなくなるので、海賊版ディスクの偽造を実質的に防止することができる。
【００２５】
また、その一方、ディスク製造者側は、元々コントロールしていない或いは、コントロール不能のディスク製造時のバラツキ情報を用いているため、この海賊版防止策によるディスク製造コストの上昇はほとんどないのと、現在の技術水準で容易に実施することができる。
【実施例２】
【００２６】
図３は、本発明の第２の実施の形態に係るディスク製造装置の構成を示したブロック図である。ディスク製造装置は、ディスク１００（２層構造のディスクとする）を回転させるスピンドルモータ１、スピンドルモータ１の回転を制御するスピンドルモータ制御部２、ディスク１００から記録データを読み取る光ピックアップ（ＯＰ）３、光ピックアップ３のフォーカスやトラッキングを制御する光ピックアップ制御部４、光ピックアップ３をディスク１００の半径方向に移動させるスレッドモータ５、スレッドモータ５を制御するスレッドモータ制御部６、光ピックアップ３から入力されるＲＦ信号を処理するリードプロセッサ７、復号部８、再生信号のエラーを誤り訂正ブロック単位で訂正するＥＣＣ（Error Check and Correct)処理回路９、ディスク１００の層間の角度ずれを読み取る角度ずれ読取部１０、ディスク１００の層間の角度ずれを暗号化する角度データ暗号化部１１、光ピックアップ３から出射されるレーザ光を変調するレーザ変調部１２、スピンドルモータ１の回転周波数信号（ＦＧ信号）を検出する回転検出器１３、装置の動作を全体的に制御するシステム制御部１４を有している。
【００２７】
次に本実施の形態の動作について説明する。まず、ディスク製造装置は、コンテンツなどが記録されたディスク１００からバラツキ情報（ここでは、ディスク１００の２層間の相対角度）を実測し、このバラツキ情報をこのディスク１００に記録する動作を行うものである。
【００２８】
コンテンツが記録されたディスク１００をセットすると、システム制御部１４は光ピックアップ３から出力されるレーザ光をピックアップ制御部４を介してディスク１００の１層目にフォーカスさせ、ディスク１００の予め決められた一層目の記録領域からチャプターＡ、Ｂのアドレスを読み出して保持する。次にシステム制御部１４は、光ピックアップ制御部４及びスレッドモータ制御部６を介して光ピックアップ３をディスク１００の一層目のチャプターＡのアドレスにアクセスしてチャプターＡの先頭部分を読み出す。
【００２９】
その際、光ピックアップ３により読み出されたＲＦ信号はリードプロセッサ７に入力され、ここで、ＲＦ信号の２値化処理或いは、トラッキングエラー信号、フォーカスエラー信号などの生成が行なわれる。２値化されたＲＦ信号は次段の復号部８に送られてＥＦＭ（Eight-to Fourteen-Modulation）復号化されたデジタルデータとなり、それがＥＣＣ処理回路９で誤り訂正される。
【００３０】
こうして誤り訂正されたデジタルデータは角度ずれ読取部１０に入力される。角度ずれ読取部１０は、チャプターＡの先頭部分を検出すると、回転検出器１３により検出されたＦＧ信号からその時のスピンドルモータ１の回転角を読み取って保持する。上記のようなチャプターＡの先頭部分の検出とその時のスピンドルモータ１の回転角の読み取り動作は複数回行って、読み取った回転角の平均を出しても良い。
【００３１】
次に、システム制御部１４は、光ピックアップ制御部４及びスレッドモータ制御部６を介して光ピックアップ３をディスク１００の２層目のチャプターＢのアドレスにアクセスしてチャプターＢの先頭部分を読み出す。チャプターＢの先頭部分が角度ずれ読取部１０に入力されると、角度ずれ読取部１０は、回転検出器１３により検出されたＦＧ信号からその時のスピンドルモータ１の回転角を読み取って保持する。上記のようなチャプターＢの先頭部分の検出とその時のスピンドルモータ１の回転角の読み取り動作は複数回行って、読み取った回転角の平均を出しても良い。
【００３２】
角度ずれ読取部１０は、光ピックアップ３がチャプターＡ，Ｂの先頭部分を読み出した際のスピンドルモータ１の回転角の差を算出し、これをディスク１００の１層目と２層目の層間相対角度とし、角度データ暗号化部１１に出力する。角度データ暗号化部１１は、入力される層間相対角度を暗号化する。
【００３３】
その後、システム制御部１４は、装置を書き込みモードにした後、角度データ暗号化部１１で暗号化した層間相対角度データをレーザ変調部１２に送る。これにより、レーザ変調部１２は光ピックアップ３から出射されるレーザ光を層間相対角度データにより振幅変調し、この振幅変調したレーザをディスク１００の例えば１層目の所定領域に集光して、本ディスク１００の層間相対角度を書き込む。
【００３４】
本実施の形態によれば、コンテンツを記録したディスク１００の２層間の相対角度を実測し、実測した層間相対角度を暗号化してディスク１００に記録することができる。その際、層間相対角度の実測と記録は上記した通常の回路により行うことができるため、ディスク製造装置を安価に構成でき、したがって、実測した層間相対角度を記録したディスクの製造コストを上昇させる要因にはならず、従来と同様のコストで層間相対角度を記録したディスクを製造することができる。
【００３５】
なお、上記実施の形態では、実測したディスク１００の層間相対角度を暗号化したものを通常の方法でディスク１００に記録したが、これを電子透かし技術やウォーターマーク技術でディスク１００に記録すれば、更に本ディスクの偽造を困難にすることができる。
【実施例３】
【００３６】
図４は、本発明の第３の実施の形態に係るディスク再生装置の構成を示したブロック図である。ディスク再生装置は、ディスク１００（２層構造のディスクとする）を回転させるスピンドルモータ２１、スピンドルモータ２１の回転を制御するスピンドルモータ制御部２２、ディスク１００から記録データを読み取る光ピックアップ（ＯＰ）２３、光ピックアップ２３のフォーカスやトラッキングを制御する光ピックアップ制御部２４、光ピックアップ２３をディスク１００の半径方向に移動させるスレッドモータ２５、スレッドモータ２５を制御するスレッドモータ制御部２６、光ピックアップ２３から入力されるＲＦ信号を処理するリードプロセッサ２７、復号部２８、再生信号のエラーを誤り訂正ブロック単位で訂正するＥＣＣ（Error Check and Correct)処理回路２９、再生信号を解凍して伸長する圧縮解凍部３０、違法ディスク警告部３１、伸長されて元のデータに戻った再生信号を出力する出力回路３２、後述する回転検出器３８から入力されるモータの回転周波数（ＦＧ）信号よりディスク１００の２層間の相対角度を読み取る角度ずれ読取部３３、実測した層間相対角度とディスク１００から読み取った層間相対角度を照合する照合部３４、照合部３４の照合結果よりディスク１００の真贋を判定する判別部３５、リードプロセッサ２７からの信号よりピット変調透かし信号を復号するピット変調透かし復号部３６、暗号復号部３７、スピンドルモータ２１に取り付けてある回転検出器３８、装置の動作を全体的に制御するシステム制御部３９を有している。
【００３７】
次に本実施の形態の動作について説明する。通常再生モード時、ディスク１００の読み出し位置に拘わらず読み出し速度が一定になるＣＬＶ（Constant Linear Velocity) 制御を行うべく、スピンドルモータ制御部２２はスピンドルモータ２１の回転速度を光ピックアップ２３の半径方向位置に応じた可変制御を行う。これにより、光ピックアップ２３はディスク１００上の記録トラックを線方向に常に同一速度で走査して、記録データを一定の速度で読み出す。
【００３８】
光ピックアップ２３により読み出されたＲＦ信号はリードプロセッサ２７に入力され、ここで、ＲＦ信号の２値化処理或いは、トラッキングエラー信号、フォーカスエラー信号などの生成が行なわれる。２値化されたＲＦ信号は次段の復号部２８に送られてＥＦＭ復号化されたデジタルデータとなり、それがＥＣＣ処理回路２９で誤り訂正される。こうして誤り訂正されたデジタルデータは圧縮解凍部３０に入力されて伸長され、元の映像・音声データになる。こうして再生された映像・音声データは違法ディスク警告部３１を通って出力回路３２に入力され、図示されないディスプレイに映像が表示されたり或いは、ヘッドフォンやスピーカから音声が出力される。ディスク１００が海賊版でないか限り、解凍された映像・音声データは違法ディスク警告部３１をスルーして出力回路３２に入力される。
【００３９】
一方、リードプロセッサ２７により生成されたトラッキングエラー信号は光ピックアップ制御部２４及びスレッドモータ制御部２６に入力され、これら光ピックアップ制御部２４及びスレッドモータ制御部２６によりトラッキング制御が行われると共に、フォーカスエラー信号が光ピックアップ制御部２４に入力され、光ピックアップ制御部２４によりフォーカス制御が行われる。なお、光ピックアップ制御部２４はディスク１００の２層間をジャンプするフォーカス制御も行う。
【００４０】
ここで、ディスク１００を装置にセットして再生を開始する場合、上記した通常モードで記録データを再生する前に、海賊版検出モードになってディスク１００の２層間の相対角度を検出し、それによりディスク１００の真贋を判定する。以下、これについて図５のフローチャートを参照して説明する。
【００４１】
まず、システム制御部１４は装置が海賊版検出モードであると判断すると（ステップＳ２１）、ディスク１００の予め決められた記録領域からチャプターＡ、Ｂのアドレスを読み出し、次にシステム制御部１４は光ピックアップ制御部２４及びスレッドモータ制御部２６を介して光ピックアップ２３をディスク１００の１層目のチャプターＡのアドレスにアクセスしてチャプターＡの先頭部分を読み出す。
【００４２】
その際、光ピックアップ２３により読み出されたＲＦ信号はリードプロセッサ２７に入力され、ここで、ＲＦ信号の２値化処理或いは、トラッキングエラー信号、フォーカスエラー信号などの生成が行なわれる。２値化されたＲＦ信号は次段の復号部２８に送られてＥＦＭ復号化されたデジタルデータとなり、それがＥＣＣ処理回路２９で誤り訂正される。こうして誤り訂正されたデジタルデータは角度ずれ読取部３３に入力される。角度ずれ読取部３３は、チャプターＡの先頭部分を検出すると、その時のスピンドルモータ２１の回転角を回転検出器３８により検出されたＦＧ信号から読み取って保持する（ステップＳ２２）。
【００４３】
次にシステム制御部１４は光ピックアップ２３をディスク１００の２層目のチャプターＢのアドレスにアクセスしてチャプターＢの先頭部分を読み出す。チャプターＢの先頭部分が角度ずれ読取部３３に入力されると、角度ずれ読取部３３は、その時のスピンドルモータ２１の回転角を回転検出器３８により検出されたＦＧ信号から読み取って保持する（ステップＳ２３）。
【００４４】
その後、角度ずれ読取部３３は、光ピックアップ２３がチャプターＡ，Ｂの先頭部分を読み出した際のスピンドルモータ２１の回転角の差を算出し、これをディスク１００の層間相対角度の実測値として保存する（ステップＳ２４）。
【００４５】
次にシステム制御部１４はディスク１００を通常に再生し、その際、ピット変調透かし復号部３６はリードプロセッサ２７で生成されるＲＦ信号よりピット変調透かし信号を復号して、このディスク１００に記録されている暗号化された層間相対角度を読み出し（ステップＳ２５）、更にこの層間相対角度を暗号復号部３７により復号（解凍）してディスク１００の層間相対角度とする（ステップＳ２６）。
【００４６】
角度ずれ読取部３３で実測されたディスク１００の層間相対角度と暗号復号部３７により復号されたディスク１００の層間相対角度は照合部３４で比較され（ステップＳ２７）、判別部３５でその比較結果である両層間相対角度の差が閾値以上であるかどうか判定され（ステップＳ２８）、閾値以上である場合は違法ディスク警告部３１によりディスク１００が海賊版である旨の警告を図示されないディスプレイに行う（ステップＳ２９）。それと共に、違法ディスク警告部３１は通常再生されるコンテンツデータが出力回路３２に入力されないようにして、海賊版ディスクの再生を停止する。一方、両層間相対角度の差が閾値を超えない場合は、通常再生モードに戻り（ステップＳ３０）、ディスク１００からコンテンツを再生して出力回路３２から出力する。
【００４７】
本実施の形態によれば、ディスク製造時に発生する層間相対角度を用いて再生するディスク１００の真贋を判定することにより、確実に海賊版ディスクを検出することができる。また、ディスク再生系と海賊版ディスクの検出系は通常の回路で構成できるため、再生装置のコストを上昇させることなく、上記海賊版ディスクを検出してその再生を阻止することができる。
【００４８】
なお、上記実施の形態では、ディスク製造時に実測した層間相対角度を暗号化してウォーターマーク技術でディスク１００に記録したため、再生装置にピット変調透かし復号部３６を必要としたが、単に通常の記録方法で層間相対角度をディスク１００に記録した場合は通常の再生系にて再生し、これをＥＣＣ処理回路２９から角度ずれ読取部３３に入力してやれば良いため、更に再生装置の構成を簡単化して装置のコストを低減させることができる。
【００４９】
尚、本発明は上記実施の形態に限定されることなく、その要旨を逸脱しない範囲において、具体的な構成、機能、作用、効果において、他の種々の形態によっても実施することができる。例えば、上記第２、第３の実施の形態では、スピンドルモータ２１に取り付けてある回転検出器１３、３８によってディスク１００の回転角度を実測することによりディスク１００の層間相対角度を求めているが、回転検出器を用いないで、ディスク１００の層間相対角度を実測する以下の方法を用いることもできる。即ち、ディスク１００を一定回転で回転させておき、その状態で１層目の特定点を読み出した時刻と２層目の特定点を読み出した時刻の時間差を求めると、この時間差Δｔは上記２点を含む回転中心角に対応し、回転中心角θはこの時間差Δｔとディスクの回転周期Ｔの関数（θ＝３６０÷Ｔ×Δｔ）で表され、回転中心角、即ち、ここで言う層間相対角度を求めることができる。この方法を用いれば、回転検出器を持たない安価なスピンドルモータを用いた装置でも、ディスクの層間相対角度を実測することができる。
【００５０】
また、上記実施の形態ではディスク固有のバラツキ情報として例えば層間相対角度など１種類を用いたが、これに層間相対ジッタなど複数種類を組み合わせて用いれば、更に偽造を困難とすることができる。
【図面の簡単な説明】
【００５１】
【図１】本発明の第１の実施の形態に係る偽造ディスク検出方法を実現するディスク製造時の情報記録手順を示したフローチャートである。
【図２】本発明の第１の実施の形態に係る偽造ディスク検出方法を実現するディスク再生時の情報再生手順を示したフローチャートである。
【図３】本発明の第２の実施の形態に係るディスク製造装置の構成を示したブロック図である。
【図４】本発明の第３の実施の形態に係るディスク再生装置の構成を示したブロック図である。
【図５】図４に示した装置におけるディスクの真贋を検出する処理手順を示したフローチャートである。
【符号の説明】
【００５２】
１、２１……スピンドルモータ、２、２２……スピンドルモータ制御部、３、２３……光ピックアップ（ＯＰ）、４、２４……光ピックアップ制御部、５、２５……スレッドモータ、６、２６……スレッドモータ制御部、７、２７……リードプロセッサ、８、２８……復号部、９、２９……ＥＣＣ（Error Check and Correct)処理回路、１０、３３……角度ずれ読取部、１１……角度データ暗号化部、１２……レーザ変調部、１３、３８……回転検出器、１４、３９……システム制御部、３０……圧縮解凍部、３１……違法ディスク警告部、３２……出力回路、３４……照合部、３５……判別部、３６……ピット変調透かし復号部、３７……暗号復号部。
【図１】
2005209308.tif 000003
【図２】
2005209308.tif 000004
【図３】
2005209308.tif 000005
【図４】
2005209308.tif 000006
【図５】
2005209308.tif 000007